(57)【要約】【課題】  熱交換効率を高めることが可能な熱交換システムを提供する。【解決手段】  熱交換システムは、熱エネルギーを有する流体が流れる流通管を備える熱交換装置１００に熱エネルギーを有する流体を通過させることにより、一個または一個以上の非接触伝達型流体作動装置２０００を駆動し、回転エネルギーを発生する。熱交換システムでは、発生する回転エネルギーを直接または非接触伝送方式によりそれぞれ熱交換装置１００の辺側にある外部の液体圧送バネ装置２０２に伝送する。外部の液体圧送バネ装置２０２は外部流体を駆動し、熱エネルギーを有する外部流体は、熱交換装置１００を通過する。これにより、熱交換装置１００の熱交換効率を高めることができる。【選択図】  図３
2012112643.tif 000002
【特許請求の範囲】
【請求項１】
直接熱エネルギーを有する流体が流れる流通管を備える熱交換装置（１００）を通過する流体を通して、一個または一個以上の流体作動装置を駆動し、直接または非接触伝送方式を経て、それぞれ熱エネルギーを有する流体が流れる流通管を備える熱交換装置（１００）の片側にある流体圧送バネ装置を動かし、更に外部流体を駆動し、熱交換装置（１００）を通過することによって、熱交換装置（１００）の熱交換効率を高め、その主な構成は以下の通りであって、
熱交換装置（１００）は、冷熱/高熱エネルギーを有する流体が流れる流通管を備える熱交換装置によって構成され、冷熱/高熱エネルギーを有する流体が流通管を通過するとき、周りに対して冷熱／高熱エネルギーを放出し、
流体を入出力する管路（１０１、１０４）は、熱伝導が良好な材料によって構成され、流体入出管路として、熱交換装置（１００）に対して、冷熱/高熱エネルギーの流体を入力または出力し、
流体作動装置アセンブリ（２０）は、流体が通過するとき、内部の流体動力バネを駆動し、回転エネルギーを発生させ、直接または非接触伝送方式で外部の流体圧送バネ装置（２０２）を駆動し、
流体作動装置の入出力管路（１０２、１０３）は、熱交換装置（１００）を通過する流体を入力または出力し、流体作動装置アセンブリ（２０）が収容するボディシェルの内部を流体が入出力することによって、流体動力バネ装置を通過する流体を駆動し、流体作動装置の入出力管路（１０２、１０３）と流体を入出力管路（１０１、１０４）、または熱交換装置（１００）が備える流通管と直列接続または並列接続し、冷熱/高熱エネルギー流体が通過するとき、流体作動装置アセンブリ（２０）の内部の流体動力バネ装置を駆動して回転させ、直接または非接触伝送方式で外部の流体圧送バネ装置（２０２）を駆動し、
外部の流体圧送バネ装置（２０２）は、回転する流体を圧送するバネセットによって構成され、回転軸に結合し、直接または非接触伝動方式で流体作動装置アセンブリ（２０）の回転エネルギーに駆動されることによって、外部流体を圧送し、熱交換装置（１００）を通過させ、熱交換装置（１００）と熱交換することを特徴とする熱交換システム。
【請求項２】
熱エネルギーを有する流体が流れる流通管を備える熱交換装置は、直接駆動式流体作動装置（２００）によって、外部の流体圧送バネ装置（２０２）を駆動し、その主な構成は以下の通りであって、
熱交換装置（１００）は、冷熱/高熱エネルギーを有する流体管を通過する熱交換装置によって構成され、冷熱/高熱エネルギーを有する流体が流通管を通過するとき、周りに対して冷熱／高熱エネルギーを放出し、
流体を入出力する管路（１０１、１０４）は、熱伝導が良好な材料によって構成され、流体入出管路として、熱交換装置（１００）に対して、冷熱/高熱エネルギーの流体を入力または出力し、
直接駆動式流体作動装置（２００）は、内部に回転軸（２０１）を備え、軸受及び回転軸（２０１）に結合する流体動力バネ装置（２０４）とボディシェル（２０７）によって構成され、流体作動装置の入出力管路（１０２、１０３）によって、ボディシェル（２０７）に対して流体の運動エネルギーを持つ流体を入力することによって、ボディシェル（２０７）の内部に設置される動力バネ装置（２０４）を移動させ、回転軸（２０１）を駆動し、回転出力を発生させ、更に熱交換装置（１００）に設置する片側にある外部の流体圧送バネ装置（２０２）を動かし、回転ポンピングを行い、
流体作動装置の入出力管路（１０２、１０３）は、熱交換装置（１００）を通過する流体を入力または出力し、及び直接駆動式流体作動装置（２００）のボディシェル（２０７）の内部を通過し、流体動力バネ装置（２０４）の流体を駆動し、流体作動装置の入出力管路（１０２、１０３）と流体を入出力管路１０１、１０４）、または熱交換装置（１００）が備える流通管とを直列接続または並列接続し、冷熱/高熱エネルギー流体が通過するとき、流体作動装置アセンブリ（２０）の内部の流体動力バネ装置を駆動して回転させ、直接駆動式流体作動装置（２００）の内部の流体動力バネ装置（２０４）を駆動して回転させることによって、回転軸（２０１）を駆動し、
外部の流体圧送バネ装置（２０２）は、回転する流体を圧送するバネセットにより構成され、回転軸（２０１）に結合し、回転駆動を受け、外部流体を圧送し、熱交換装置（１００）を通過することによって、熱交換装置（１００）と熱交換することを特徴とする請求項１に記載の熱交換システム。
【請求項３】
熱エネルギーを有する流体管の熱交換装置は、非接触伝達型流体作動装置（２０００）によって、外部の流体圧送バネ装置（２０２）を駆動し、その主な構成は以下の通りであって、
熱交換装置（１００）は、冷熱/高熱エネルギーを有する流体が流れる流通管を備える熱交換装置によって構成され、冷熱/高熱エネルギーを有する流体が流通管を通過するとき、周りに対して冷熱／高熱エネルギーを放出し、
流体を入出力する管路（１０１、１０４）は、熱伝導が良好な材料によって構成され、流体入出管路として、熱交換装置（１００）に対して、熱エネルギーの流体を入力または出力し、
非接触伝達型流体作動装置（２０００）は、内部に回転軸（２０６）、軸受及び回転軸（２０６）に結合する磁気カップリング体の受動的回転部（２１２）と流体動力バネ装置（２２１）を備え、及びボディシェル（２０８）を設けることによって、非接触伝達型流体作動装置の能動側（２２０）を構成し、
非接触伝達型流体作動装置（２０００）は、下記の一種または一種の以上の方式によって構成されることを含み、
磁気カップリング体の受動的回転部（２１２）と磁気カップリング体の受動的回転部（２１１）との間に、永久磁極を通して、永久磁極の吸引力に対して、カップリング伝達を行い、
磁気カップリング体の受動的回転部（２１２）と磁気カップリング体の受動的回転部（２１１）との間に、永久磁極を通して、カップラ導磁体の吸引力に対して、カップリング伝達を行い、
磁気カップリング体の受動的回転部（２１２）と磁気カップリング体の受動的回転部（２１１）との間に、永久磁極を通して、導電体に対して、渦電流効果を発生させ、カップリング伝達を行い、
磁気カップリング体の受動的回転部（２１２）と磁気カップリング体の受動的回転部（２１１）との間に、永久磁極を通して、かご形電磁構造体に対して、電磁効果を発生させ、カップリング伝達を行い、
磁気カップリング体の受動的回転部（２１２）と磁気カップリング体の受動的回転部（２１１）との間に、永久磁極を通して、磁気抵抗構造体に対して、磁気カップリング効果を発生させ、カップリング伝達を行い、
非接触伝達型流体作動装置の能動側（２２０）の内部に流体動力バネ装置（２２１）を設置し、それと結合している磁気カップリング体の受動的回転部（２１２）を通して、ボディシェル（２０８）と非接触伝達型流体作動装置の出力側（２１０）の内部に設置される磁気カップリング体の受動的回転部（２１１）を隔って、二者が同期または非同期の回転カップリング伝達を行い、磁気カップリング体の受動的回転部（２１１）及び回転軸（２０１）を駆動し、更に熱交換装置（１００）に設置する片側にある外部の流体圧送バネ装置（２０２）を動かし、回転ポンピングを行い、
流体作動装置の入出力管路（１０２、１０３）は、熱交換装置（１００）を通過する流体を入力または出力し、及び非接触伝達型流体作動装置（２０００）の非接触伝達型流体作動装置にある能動側（２２０）のボディシェル（２０８）の内部を通過し、流体動力バネ装置（２２１）の流体を駆動し、流体作動装置の入出力管路（１０２、１０３）と流体を入出力管路（１０１、１０４）を直列接続または並列接続し、冷熱/高熱エネルギー流体が通過するとき、非接触伝達型流体作動装置の能動側（２２０）の内部の流体動力バネ装置（２２１）を駆動し、回転ポンピングすることによって、非接触伝送方式で非接触伝達型流体作動装置の出力側（２１０）の内部にある磁気カップリング体の受動的回転部（２１１）を駆動してから、更に回転軸（２０１）を駆動し、
外部の流体圧送バネ装置（２０２）は、回転する流体を圧送するバネセットにより構成され、回転軸（２０１）に結合し、回転駆動を受け、更に外部流体を圧送し、熱交換装置（１００）を通過させ、熱交換装置（１００）と熱交換し、
ボディシェル（２０８）は、非接触伝達型流体作動装置（２０００）のボディシェルを構成し、非導磁性と非導電性材料とによって構成されるか、または導電性または導磁性の両者またはその中の一種の特性材料によって構成され、その導磁性または導電性は、ボディシェル（２０８）の両側に設置する磁気カップリング体の受動的回転部（２１２）と磁気カップリング体の受動的回転部（２１１）との間に必要な回転エネルギーの伝送を邪魔しないことを特徴とする請求項１に記載の熱交換システム。
【請求項４】
外部の流体圧送バネ装置（２０２）を直接駆動式流体作動装置（２００）と熱交換装置（１００）との間に設置し、その主な構成は以下の通りであって、
直接駆動式流体作動装置（２００）を熱交換装置（１００）の片側に設置し、熱交換装置（１００）の上方、下方、左方、右方、前方、後方の一方向または二方向以上の側に設置することを含み、外部の流体圧送バネ装置（２０２）を直接駆動式流体作動装置（２００）と熱交換装置（１００）との間に設置することを特徴とする請求項２に記載の熱交換システム。
【請求項５】
外部の流体圧送バネ装置（２０２）を非接触伝達型流体作動装置（２０００）と熱交換装置（１００）との間に設置し、その主な構成は以下の通りであって、
非接触伝達型流体作動装置（２０００）を熱交換装置（１００）の片側に設置し、熱交換装置（１００）の上方、下方、左方、右方、前方、後方の一方向または二方向以上の側に設置することを含み、外部の流体圧送バネ装置（２０２）を非接触伝達型流体作動装置（２０００）と熱交換装置（１００）との間に設置することを特徴とする請求項３に記載の熱交換システム。
【請求項６】
直接駆動式流体作動装置（２００）を熱交換装置（１００）の上方、下方、左方、右方、前方、後方のうちいずれか二方向の側に設置し、その二個の外部の流体圧送バネ装置（２０２）を別々に熱交換装置（１００）に設置し、熱交換装置（１００）の両側にある直接駆動式流体作動装置（２００）との間に設置し、その主な構成は以下の通りであって、
直接駆動式流体作動装置（２００）を熱交換装置（１００）の上方、下方、左方、右方、前方、後方のうちいずれか二方向の側に設置し、その二個の外部の流体圧送バネ装置（２０２）を別々に熱交換装置（１００）に設置する熱交換装置（１００）と両側に設置する駆動式流体作動装置（２００）との間に設置し、それぞれ連結している直接駆動式流体作動装置（２００）の回転軸（２０１）によって駆動され、二個の外部の流体圧送バネ装置（２０２）によって駆動される流体の流れる方向は同じ方向または違う方向にすることも可能であることを特徴とする請求項４に記載の熱交換システム。
【請求項７】
非接触伝達型流体作動装置（２０００）を熱交換装置（１００）の上方、下方、左方、右方、前方、後方のうちいずれか二方向の側に設置し、その二個の外部の流体圧送バネ装置（２０２）を別々に熱交換装置（１００）に設置し、その両側の非接触伝達型流体作動装置（２０００）との間に設置し、その主な構成は以下の通りであって、
非接触伝達型流体作動装置（２０００）を熱交換装置（１００）の上方、下方、左方、右方、前方、後方のうちいずれか二方向の側に設置し、その二個の外部の流体圧送バネ装置（２０２）を別々に熱交換装置（１００）と両側の非接触伝達型流体作動装置（２０００）との間に設置し、それぞれ連結している非接触伝達型流体作動装置（２０００）の回転軸（２０１）によって駆動され、二個の外部の流体圧送バネ装置（２０２）によって駆動される流体の流れる方向は同じ方向または違う方向にすることも可能であることを特徴とする請求項５に記載の熱交換システム。
【請求項８】
直接駆動式流体作動装置（２００）を熱交換装置（１００）の上方、下方、左方、右方、前方、後方のうちいずれか二方向の側に設置し、その二個の外部の流体圧送バネ装置（２０２）を別々に熱交換装置（１００）の両側にある直接駆動式流体作動装置（２００）の外側に設置し、その主な構成は以下の通りであって、
直接駆動式流体作動装置（２００）を熱交換装置（１００）の上方、下方、左方、右方、前方、後方のうちいずれか二方向の側に設置し、その二個の外部の流体圧送バネ装置（２０２）を別々に熱交換装置（１００）に設置する熱交換装置（１００）と両側に設置する駆動式流体作動装置（２００）の外側に設置し、それぞれ連結している直接駆動式流体作動装置（２００）の回転軸（２０１）によって駆動され、二個の外部の流体圧送バネ装置（２０２）によって駆動される流体の流れる方向は同じ方向または違う方向にすることも可能であることを特徴とする請求項４に記載の熱交換システム。
【請求項９】
非接触伝達型流体作動装置（２０００）を熱交換装置（１００）の上方、下方、左方、右方、前方、後方のうちいずれか二方向の側に設置し、その二個の外部の流体圧送バネ装置（２０２）を別々に熱交換装置（１００）両側にある非接触伝達型流体作動装置（２０００）の外側に設置し、その主な構成は以下の通りであって、
非接触伝達型流体作動装置（２０００）を熱交換装置（１００）の上方、下方、左方、右方、前方、後方のうちいずれか二方向の側に設置し、その二個の外部の流体圧送バネ装置（２０２）を別々に熱交換装置（１００）と両側の非接触伝達型流体作動装置（２０００）の外側に設置し、それぞれ連結している非接触伝達型流体作動装置（２０００）の回転軸（２０１）によって駆動され、二個の外部の流体圧送バネ装置（２０２）によって駆動される流体の流れる方向は同じ方向または違う方向にすることも可能であることを特徴とする請求項５に記載の熱交換システム。
【請求項１０】
直接駆動式流体作動装置（２００）を熱交換装置（１００）の上方、下方、左方、右方、前方、後方のうちいずれか二方向の側に設置し、その二個の外部の流体圧送バネ装置（２０２）の中の一つを熱交換装置（１００）と結合する直接駆動式流体作動装置（２００）との間に設置し、もう一つの外部の流体圧送バネ装置（２０２）を熱交換装置（１００）と結合する別の直接駆動式流体作動装置（２００）の外側に設置し、その主な構成は以下の通りであって、
直接駆動式流体作動装置（２００）を熱交換装置（１００）の上方、下方、左方、右方、前方、後方のうちいずれか二方向の側に設置し、その二個の外部の流体圧送バネ装置（２０２）の中の一つを熱交換装置（１００）と結合している直接駆動式流体作動装置（２００）との間に設置し、別の外部の流体圧送バネ装置（２０２）を熱交換装置（１００）と結合している別の直接駆動式流体作動装置（２００）の外側に設置し、それぞれ連結している直接駆動式流体作動装置（２００）の回転軸（２０１）によって駆動され、二個の外部の流体圧送バネ装置（２０２）によって駆動される流体の流れる方向は同じ方向または違う方向にすることも可能であることを特徴とする請求項４に記載の熱交換システム。
【請求項１１】
非接触伝達型流体作動装置（２０００）を熱交換装置（１００）の上方、下方、左方、右方、前方、後方のうちいずれか二方向の側に設置し、その二個の外部の流体圧送バネ装置（２０２）の中の一つを熱交換装置（１００）と結合する非接触伝達型流体作動装置（２０００）との間に設置し、別の外部の流体圧送バネ装置（２０２）を熱交換装置（１００）と結合する別の非接触伝達型流体作動装置（２０００）の外側に設置し、その主な構成は以下の通りであって、
非接触伝達型流体作動装置（２０００）を熱交換装置（１００）の上方、下方、左方、右方、前方、後方のうちいずれか二方向の側に設置し、その二個の外部の流体圧送バネ装置（２０２）の中の一つを熱交換装置（１００）と結合している非接触伝達型流体作動装置（２０００）との間に設置し、別の外部の流体圧送バネ装置（２０２）を熱交換装置（１００）と結合している別の非接触伝達型流体作動装置（２０００）の外側に設置し、それぞれ連結している非接触伝達型流体作動装置（２０００）の回転軸（２０１）によって駆動され、二個の外部の流体圧送バネ装置（２０２）によって駆動される流体の流れる方向は同じ方向または違う方向にすることも可能であることを特徴とする請求項５に記載の熱交換システム。
【請求項１２】
直接駆動式流体作動装置（２００）を熱交換装置（１００）の中に設置し、その中の片側の回転軸（２０１）によって外部の流体圧送バネ装置（２０２）を駆動し、その主な構成は以下の通りであって、
直接駆動式流体作動装置（２００）を熱交換装置（１００）の中に設置し、直接駆動式流体作動装置（２００）の片側の回転軸（２０１）によって、外部の流体圧送バネ装置（２０２）を駆動することを特徴とする請求項１に記載の熱交換システム。
【請求項１３】
非接触伝達型流体作動装置（２０００）を熱交換装置（１００）の中に設置し、その中の片側の回転軸（２０１）によって外部の流体圧送バネ装置（２０２）を駆動し、その主な構成は以下の通りであって、
非接触伝達型流体作動装置（２０００）を熱交換装置（１００）の中に設置し、非接触伝達型流体作動装置（２０００）の中の出力側（２１０）の片側にある回転軸（２０１）によって外部の流体圧送バネ装置（２０２）を駆動することを特徴とする請求項１に記載の熱交換システム。
【請求項１４】
直接駆動式流体作動装置（２００）を熱交換装置（１００）の中に設置し、その回転軸（２０１）の両端によって、別々に連結している外部の流体圧送バネ装置（２０２）を駆動し、その主な構成は以下の通りであって、
直接駆動式流体作動装置（２００）を熱交換装置（１００）の中の直接駆動式流体作動装置（２００）にある回転軸（２０１）の両端に設置し、別々に外部の流体圧送バネ装置（２０２）と連結することによって、外部流体に対して、同じ方向または違う方向へポンピングすることを特徴とする請求項１２に記載の熱交換システム。
【請求項１５】
両側出力型非接触伝達型流体作動装置（３０００）を熱交換装置（１００）の中に設置し、両側出力型非接触伝達型流体作動装置（３０００）の両側にある非接触伝達型流体作動装置の出力側（２１０）の独立回転軸（２０１）によって、別々に連結している外部の流体圧送バネ装置（２０２）を駆動し、その主な構成は以下の通りであって、
両側出力型非接触伝達型流体作動装置（３０００）を熱交換装置（１００）の中に設置し、両側出力型非接触伝達型流体作動装置（３０００）の両側にある非接触伝達型流体作動装置の出力側（２１０）の独立回転軸（２０１）によって、別々に外部の流体圧送バネ装置（２０２）を駆動し、外部流体に対して、同じ方向または違う方向へポンピングし、
両側出力型非接触伝達型流体作動装置（３０００）は、流体動力バネ装置（２２１）、その両辺に結合している駆動の磁気カップリング体の受動的回転部（２１２）、及び回転軸（２０６）とボディシェル（２０９）によって、両側非接触伝達型流体作動装置の能動側（２２２）を構成し、また両側非接触伝達型流体作動装置の能動側（２２２）の両側に二個の磁気カップリング体の受動的回転部（２１２）を設置することによって、非接触カップリング伝達の二個の非接触伝達型流体作動装置の出力側（２１０）の内部の磁気カップリング体の受動的回転部（２１１）とし、二個の磁気カップリング体の受動的回転部（２１１）に駆動される回転軸（２０１）によって、別々に外部の流体圧送バネ装置（２０２）を駆動し、外部流体に対して同じ方向または違う方向へポンピングし、
両側出力型非接触伝達型流体作動装置（３０００）は、下記の一種または一種以上の方式によって構成されることを含み、
磁気カップリング体の受動的回転部（２１２）と磁気カップリング体の受動的回転部（２１１）との間に、永久磁極を通して、永久磁極の吸引力に対して、カップリング伝達を行い、
磁気カップリング体の受動的回転部（２１２）と磁気カップリング体の受動的回転部（２１１）との間に、永久磁極を通して、カップラ導磁体の吸引力に対して、カップリング伝達を行い、
磁気カップリング体の受動的回転部（２１２）と磁気カップリング体の受動的回転部（２１１）との間に、永久磁極を通して、導電体に対して、渦電流効果を発生させ、カップリング伝達を行い、
磁気カップリング体の受動的回転部（２１２）と磁気カップリング体の受動的回転部（２１１）との間に、永久磁極を通して、かご形電磁構造体に対して、電磁効果を発生させ、カップリング伝達を行い、
磁気カップリング体の受動的回転部（２１２）と磁気カップリング体の受動的回転部（２１１）との間に、永久磁極を通して、磁気抵抗構造体に対して、磁気カップリング効果を発生させ、カップリング伝達を行い、
流体圧送バネ装置（２０２）は、熱交換装置（１００）の中の両側に設置し、それぞれ非接触伝達型流体作動装置の出力側（２１０）の回転軸（２０１）に駆動されることによって、外部流体に対して、同じ方向または違う方向へポンピングし、
ボディシェル（２０９）は、両側出力型非接触伝達型流体作動装置（３０００）のボディシェルを構成し、非導磁性と非導電性材料によって構成され、または導電性または導磁性の両者またはその中の一種の特性材料によって構成され、その導磁性または導電性は、ボディシェル（２０９）の両側に設置する磁気カップリング体の受動的回転部（２１２）と磁気カップリング体の受動的回転部（２１１）との間に必要な回転エネルギーの伝送を邪魔しないことを特徴とする請求項１に記載の熱交換システム。
【請求項１６】
一個の熱交換装置（１００）に二個または二個以上の一種または一種以上の流体作動装置である直接駆動式流体作動装置（２００）、非接触伝達型流体作動装置（２０００）、または両側出力型非接触伝達型流体作動装置（３０００）を設置することを特徴とする請求項１に記載の熱交換システム。
【請求項１７】
二個または二個以上の直接駆動式流体作動装置（２００）を熱交換装置（１００）の中に設置し、それぞれ直接駆動式流体作動装置（２００）の同側にある回転軸（２０１）によって、それぞれ外部の流体圧送バネ装置（２０２）を駆動し、その主な構成は以下の通りであって、
二個または二個以上の直接駆動式流体作動装置（２００）を熱交換装置（１００）の中に設置し、それぞれ直接駆動式流体作動装置（２００）の同側にある回転軸（２０１）によって、それぞれ外部の流体圧送バネ装置（２０２）を駆動することを特徴とする請求項１６に記載の熱交換システム。
【請求項１８】
二個または二個以上の非接触伝達型流体作動装置（２０００）を熱交換装置（１００）の中に設置し、それぞれ非接触伝達型流体作動装置（２０００）の非接触伝達型流体作動装置の出力側（２１０）の同側にある回転軸（２０１）によって、それぞれ外部の流体圧送バネ装置（２０２）を駆動し、その主な構成は以下の通りであって、
二個または二個以上の非接触伝達型流体作動装置（２０００）を熱交換装置（１００）の中に設置し、それぞれ非接触伝達型流体作動装置（２０００）中の非接触伝達型流体作動装置の出力側（２１０）の同側にある回転軸（２０１）によって、それぞれ外部の流体圧送バネ装置（２０２）を駆動することを特徴とする請求項１６に記載の熱交換システム。
【請求項１９】
二個または二個以上の直接駆動式流体作動装置（２００）を熱交換装置（１００）の中に設置し、それぞれ直接駆動式流体作動装置（２００）の回転軸（２０１）の両端によって、別々に連結している外部の流体圧送バネ装置（２０２）を駆動し、その主な構成は以下の通りであって、
二個または二個以上の直接駆動式流体作動装置（２００）を熱交換装置（１００）の中に設置し、それぞれ直接駆動式流体作動装置（２００）の回転軸（２０１）の両端と別々に連結している外部の流体圧送バネ装置（２０２）によって、外部流体に対して同じ方向または違う方向へポンピングすることを特徴とする請求項１６に記載の熱交換システム。
【請求項２０】
二個または二個以上の両側出力型非接触伝達型流体作動装置（３０００）を熱交換装置（１００）の中に設置し、それぞれ両側出力型非接触伝達型流体作動装置（３０００）の両側にある非接触伝達型流体作動装置の出力側（２１０）にある独立回転軸（２０１）によって、別々に連結している外部の流体圧送バネ装置（２０２）を駆動し、その主な構成は以下の通りであって、
二個または二個以上の両側出力型非接触伝達型流体作動装置（３０００）を熱交換装置（１００）の中に設置し、それぞれの両側出力型非接触伝達型流体作動装置（３０００）の両側にある非接触伝達型流体作動装置の出力側（２１０）の独立回転軸（２０１）によって、別々に外部の流体圧送バネ装置（２０２）を駆動し、外部流体に対して同じ方向または違う方向へポンピングし、
両側出力型非接触伝達型流体作動装置（３０００）は、流体動力バネ装置（２２１）、その両辺に結合している駆動の磁気カップリング体の受動的回転部（２１２）、及び回転軸（２０６）とボディシェル（２０９）によって、共同して両側非接触伝達型流体作動装置の能動側（２２２）を構成し、また両側非接触伝達型流体作動装置の能動側（２２２）の両側に別々に非接触伝達型流体作動装置の出力側（２１０）を設置し、非接触伝達型流体作動装置の出力側（２１０）の内部に磁気カップリング体の受動的回転部（２１１）を設置することによって、非接触伝達型流体作動装置の能動側（２２２）の両側にある二個の磁気カップリング体の受動的回転部（２１２）と非接触カップリング伝達を行い、二個の磁気カップリング体の受動的回転部（２１１）に駆動される回転軸（２０１）によって、別々に外部の流体圧送バネ装置（２０２）を駆動し、外部流体に対して同じ方向または違う方向へポンピングし、
両側出力型非接触伝達型流体作動装置（３０００）は、下記の一種または一種以上の方式によって構成されることを含み、
磁気カップリング体の受動的回転部（２１２）と磁気カップリング体の受動的回転部（２１１）との間に、永久磁極を通して、永久磁極の吸引力に対して、カップリング伝達を行い、
磁気カップリング体の受動的回転部（２１２）と磁気カップリング体の受動的回転部（２１１）との間に、永久磁極を通して、カップラ導磁体の吸引力に対して、カップリング伝達を行い、
磁気カップリング体の受動的回転部（２１２）と磁気カップリング体の受動的回転部（２１１）との間に、永久磁極を通して、導電体に対して、渦電流効果を発生させ、カップリング伝達を行い、
磁気カップリング体の受動的回転部（２１２）と磁気カップリング体の受動的回転部（２１１）との間に、永久磁極を通して、かご形電磁構造体に対して、電磁効果を発生させ、カップリング伝達を行い、
磁気カップリング体の受動的回転部（２１２）と磁気カップリング体の受動的回転部（２１１）との間に、永久磁極を通して、磁気抵抗構造体に対して、磁気カップリング効果を発生させ、カップリング伝達を行い、
外部の流体圧送バネ装置（２０２）は、熱交換装置（１００）中の両側に設置し、それぞれ非接触伝達型流体作動装置の出力側（２１０）の回転軸（２０１）に駆動されることによって、外部流体に対して同じ方向または違う方向へポンピングし、
ボディシェル（２０９）は、両側出力型非接触伝達型流体作動装置（３０００）のボディシェルを構成し、非導磁性と非導電性材料によって構成され、または導電性または導磁性の両者またはその中の一種の特性材料によって構成され、その導磁性または導電性は、ボディシェル（２０９）の両側に設置する磁気カップリング体の受動的回転部（２１２）と磁気カップリング体の受動的回転部（２１１）との間に必要な回転エネルギーの伝送を邪魔しないことを特徴とする請求項１６に記載の熱交換システム。
【請求項２１】
流体圧送バネ装置（２０２）の外側に、更に一歩進んでバネ防護装置（２０３）、例えば網目状装置またはマスク状装置を設置し、安全を守ることができることを特徴とする請求項１に記載の熱交換システム。
【発明の詳細な説明】
【技術分野】
【０００１】
本発明は、熱交換システムに関する。
【背景技術】
【０００２】
従来の熱交換システムは、外部機械の回転エネルギーまたは電力モータを通して、流体圧送バネ装置を回転させることにより外部流体を駆動し、熱エネルギーを有する流体が流れる流通管を備える熱交換装置を通過することによって、熱交換システムの熱交換効率を高める。
【先行技術文献】
【特許文献】
【０００３】
【特許文献１】特開２００９−００８２８２号公報
【発明の概要】
【発明が解決しようとする課題】
【０００４】
従来の熱交換装置は、通常外部機械の回転エネルギーまたは電力モータを通して、流体圧送バネ装置を回転させ、更に外部流体を駆動し、熱交換装置を通過することによって、熱交換システムの熱交換効率を高める。その欠点はコストが高くなり、またエネルギーを損なう。
【０００５】
本発明の目的は、熱交換効率を高めることが可能な熱交換システムを提供することにある。
【課題を解決するための手段】
【０００６】
本発明によると、熱交換システムは、流通管を備える熱交換装置に熱エネルギーを有する流体を通過させることにより、一個または一個以上の流体作動装置を駆動し、回転エネルギーを発生させ、直接または非接触伝送方式を経て、それぞれ熱エネルギーを有する流体が流れる流体管を備える熱交換装置の片側にある流体圧送バネ装置を動かし、更に外部流体を駆動することにより、熱交換装置の熱交換効率を高める。
【０００７】
本発明は、一種の外部機械の回転エネルギーまたは電力モータの動力を使用せず、直接熱エネルギーを有する流体が流れる流通管を備える熱交換装置を通過する流体を通して、一個または一個以上の流体作動装置を駆動し、直接または非接触伝送方式を経て、それぞれ熱エネルギーを有する流体が流れる流通管を備える熱交換装置の片側にある流体圧送バネ装置を動かし、更に外部流体を駆動し、熱エネルギーを有する流体が流れる流通管を備える熱交換装置を通過することによって、熱交換システムの熱交換効率を高める。
【図面の簡単な説明】
【０００８】
【図１】本発明の複数の実施形態による熱交換システムの基本構造の模式図である。
【図２】本発明の第１実施形態による熱交換システムの構造を示す模式図である。
【図３】本発明の第２実施形態による熱交換システムの構造を示す模式図である。
【図４】本発明の第３実施形態による熱交換システムの構造を示す模式図である。
【図５】本発明の第４実施形態による熱交換システムの構造を示す模式図である。
【図６】本発明の第５実施形態による熱交換システムの構造を示す模式図である。
【図７】本発明の第６実施形態による熱交換システムの構造を示す模式図である。
【図８】本発明の第７実施形態による熱交換システムの構造を示す模式図である。
【図９】本発明の第８実施形態による熱交換システムの構造を示す模式図である。
【図１０】本発明の第９実施形態による熱交換システムの構造を示す模式図である。
【図１１】本発明の第１０実施形態による熱交換システムの構造を示す模式図である。
【図１２】本発明の第１１実施形態による熱交換システムの構造を示す模式図である。
【図１３】本発明の第１２実施形態による熱交換システムの構造を示す模式図である。
【図１４】本発明の第１３実施形態による熱交換システムの構造を示す模式図である。
【図１５】本発明の第１４実施形態による熱交換システムの構造を示す模式図である。
【図１６】本発明の第１５実施形態による熱交換システムの構造を示す模式図である。
【図１７】本発明の第１６実施形態による熱交換システムの構造を示す模式図である。
【図１８】本発明の第１７実施形態による熱交換システムの構造を示す模式図である。
【図１９】本発明の第１８実施形態による熱交換システムの構造を示す模式図である。
【発明を実施するための形態】
【０００９】
本発明の複数の実施形態による熱交換システムについて、以下に説明する。
【００１０】
図１に複数の実施形態による熱交換システムの基本構造の模式図を示す。
図１に示すように、その主な構成は以下の通りである。
熱交換装置１００は、冷熱/高熱エネルギーを有する流体管を通過する熱交換装置によって構成され、冷熱/高熱エネルギーを有する流体が流通管を通過するとき、周りに対して冷熱/高熱エネルギーを放出する。
流体を入出力する管路１０１、１０４は、良好な熱伝導材料によって構成され、流体入出管路として、熱エネルギーを有する流体が流れる流通管を備える熱交換装置１００に対して、冷熱／高熱エネルギーの流体を入出力する。
流体作動装置アセンブリ２０は、流体が通過するとき、内部の流体動力バネを駆動し、回転エネルギーを発生させ、直接または非接触伝送方式で外部の流体圧送バネ装置２０２を駆動する。
流体作動装置アセンブリ２０の入出力管路１０２、１０３は、熱交換装置１００を通過する流体を入力および出力し、流体作動装置アセンブリ２０を通過するボディシェルの内部に入力および出力することによって、流体動力バネ装置を通過する流体を駆動し、流体作動装置アセンブリ２０の入出力管路１０２、１０３と流体を入出力する管路１０１、１０４、または熱交換装置１００に設置する流通管を直列接続または並列接続し、冷熱／高熱エネルギー流体が通過するとき、流体作動装置アセンブリ２０の内部の流体動力バネ装置を駆動して回転させ、直接または非接触伝送方式で外部の流体圧送バネ装置２０２を駆動する。
外部の流体圧送バネ装置２０２は、回転する流体を圧送するバネセットによって構成され、回転軸に結合し、直接または非接触伝動方式で流体作動装置アセンブリ２０の回転エネルギーに駆動されることによって、外部流体を圧送し、熱交換装置１００を通過させ、熱交換装置１００と熱交換する。
【００１１】
（第１実施形態）
図２に直接駆動式流体作動装置２００によって外部の流体圧送バネ装置２０２を駆動する熱交換システムの構造模式図を示す。
【００１２】
図２に示すように、その主な構成は以下の通りである。
熱エネルギーを有する流体が流れる流通管を備える熱交換装置１００は、冷熱/高熱エネルギーを有する流体管を通過する熱交換装置によって構成され、冷熱/高熱エネルギーを有する流体が流通管を通過するとき、周りに対して冷熱／高熱エネルギーを放出する。
流体を入出力する管路１０１、１０４は、良好な熱伝導材料によって構成され、流体入出管路として、熱交換装置１００に対して、冷熱/高熱エネルギーの流体を入出力する。
直接駆動式流体作動装置２００は、内部に回転軸２０１を備え、軸受及び回転軸２０１に結合する流体動力バネ装置２０４とボディシェル２０７によって構成され、流体作動装置の入出力管路１０２、１０３によって、ボディシェル２０７に対して流体の運動エネルギーを持つ流体を入力することによって、ボディシェル２０７の内部に設置する動力バネ装置２０４を移動させ、回転軸２０１を駆動し、回転出力を発生させ、更に熱交換装置１００に設置する片側にある外部の流体圧送バネ装置２０２を動かし、回転ポンピングを行う。
流体作動装置の入出力管路１０２、１０３は、熱交換装置１００を通過する流体を入出力するとともに直接駆動式流体作動装置２００のボディシェル２０７の内部を通過し、流体動力バネ装置２０４の流体を駆動する。流体作動装置の入出力管路１０２、１０３と流体を入出力する管路１０１、１０４、または熱交換装置１００に設置する流通管を直列接続または並列接続し、冷熱/高熱エネルギー流体が通過するとき、流体作動装置アセンブリ２０の内部の流体動力バネ装置を駆動して回転させ、直接駆動式流体作動装置２００の内部の流体動力バネ装置２０４を駆動して回転させることによって、回転軸２０１を駆動する。
外部の流体圧送バネ装置２０２は、回転する流体を圧送するバネセットによって構成され、回転軸２０１に結合し、回転駆動を受け、外部流体を圧送し、熱交換装置１００を通過することによって、熱交換装置１００と熱交換する。
【００１３】
（第２実施形態）
図３には、非接触伝達型流体作動装置２０００によって、外部の流体圧送バネ装置２０２を駆動する熱交換システムの構造模式図を示す。
【００１４】
図３に示すように、その主な構成は以下の通りである。
熱交換装置１００は、冷熱/高熱エネルギーを有する流体管を通過する熱交換装置によって構成され、冷熱/高熱エネルギーを有する流体が流通管を通過するとき、周りに対して冷熱／高熱エネルギーを放出する。
【００１５】
流体を入出力する管路１０１、１０４は、良好な熱伝導材料によって構成され、流体入出管路として、熱交換装置１００に対して、冷熱/高熱エネルギーの流体を入出力する。
【００１６】
非接触伝達型流体作動装置２０００は、内部に回転軸２０６、軸受及び回転軸２０６に結合する磁気カップリング体の受動的回転部２１２、流体動力バネ装置２２１、及びボディシェル２０８を設けることによって、非接触伝達型流体作動装置の能動側２２０を構成する。
【００１７】
非接触伝達型流体作動装置２０００は、下記の一種または一種以上の方式によって構成されることを含む。
磁気カップリング体の受動的回転部２１２と磁気カップリング体の受動的回転部２１１との間に、永久磁極を通して、永久磁極の吸引力に対して、カップリング伝達を行う。
磁気カップリング体の受動的回転部２１２と磁気カップリング体の受動的回転部２１１との間に、永久磁極を通して、カップラ導磁体の吸引力に対して、カップリング伝達を行う。
磁気カップリング体の受動的回転部２１２と磁気カップリング体の受動的回転部２１１との間に、永久磁極を通して、導電体に対して、渦電流効果を発生させ、カップリング伝達を行う。
磁気カップリング体の受動的回転部２１２と磁気カップリング体の受動的回転部２１１との間に、永久磁極を通して、かご形電磁構造体に対して、電磁効果を発生させ、カップリング伝達を行う。
磁気カップリング体の受動的回転部２１２と磁気カップリング体の受動的回転部２１１との間に、永久磁極を通して、磁気抵抗構造体に対して、磁気カップリング効果を発生させ、カップリング伝達を行う。
【００１８】
非接触伝達型流体作動装置の能動側２２０の内部に流体動力バネ装置２２１を設置し、それと結合している磁気カップリング体の受動的回転部２１２を介して、非接触伝達型流体作動装置の出力側２１０の内部に設置される磁気カップリング体の受動的回転部２１１に同期または非同期の回転カップリング伝達を行い、磁気カップリング体の受動的回転部２１１及び回転軸２０１を駆動し、更に熱交換装置１００に設置する片側にある外部の流体圧送バネ装置２０２を動かし、回転ポンピングを行う。
【００１９】
流体作動装置の入出力管路１０２、１０３は、熱交換装置１００を通過する流体を入出力するとともに非接触伝達型流体作動装置２０００の非接触伝達型流体作動装置にある能動側２２０のボディシェル２０８の内部を通過し、流体動力バネ装置２２１の流体を駆動し、流体作動装置の入出力管路１０２、１０３と流体を入出力する管路１０１、１０４を直列接続または並列接続し、冷熱/高熱エネルギー流体が通過するとき、非接触伝達型流体作動装置の能動側２２０の内部の流体動力バネ装置２２１を駆動し、回転ポンピングすることによって、非接触伝送方式で非接触伝達型流体作動装置の出力側２１０の内部にある磁気カップリング体の受動的回転部２１１を駆動してから、更に回転軸２０１を駆動する。
【００２０】
外部の流体圧送バネ装置２０２は、回転する流体を圧送するバネセットによって構成され、回転軸２０１に結合し、回転駆動を受け、更に外部流体を圧送し、熱交換装置１００を通過させ、熱交換装置１００と熱交換する。
【００２１】
ボディシェル２０８は、非接触伝達型流体作動装置２０００のボディシェルを構成し、非導磁性と非導電性材料とによって構成され、または導電性または導磁性の両者またはその中の一種の特性材料によって構成され、その導磁性または導電性は、ボディシェル２０８の両側に設置する磁気カップリング体の受動的回転部２１２と磁気カップリング体の受動的回転部２１１との間に必要な回転エネルギーの伝送を邪魔しない。
【００２２】
（第３実施形態）
図４に外部の流体圧送バネ装置２０２を直接駆動式流体作動装置２００と熱交換装置１００との間に設置する熱交換システムの構造模式図を示す。
【００２３】
第３実施形態の熱交換システムの直接駆動式流体作動装置２００または非接触伝達型流体作動装置２０００と、熱交換装置１００との相対位置の構成は以下の通りである。
【００２４】
図４に示すように、その主な構成は以下の通りである。
直接駆動式流体作動装置２００を熱交換装置１００の片側に設置し、熱交換装置１００の上方、下方、左方、右方、前方、後方のうちいずれか一方向または二方向以上の側に設置することを含む。外部の流体圧送バネ装置２０２を直接駆動式流体作動装置２００と熱交換装置１００との間に設置する。
【００２５】
（第４実施形態）
図５に外部の流体圧送バネ装置２０２を非接触伝達型流体作動装置２０００と熱交換装置１００との間に設置する熱交換システムの構造模式図を示す。
【００２６】
図５に示すように、その主な構成は以下の通りである。
非接触伝達型流体作動装置２０００を熱交換装置１００の片側に設置し、熱交換装置１００の上方、下方、左方、右方、前方、後方のうちいずれか一方向または二方向以上の側に設置することを含む。外部の流体圧送バネ装置２０２を非接触伝達型流体作動装置２０００と熱交換装置１００との間に設置する。
【００２７】
（第５実施形態）
図６に直接駆動式流体作動装置２００を熱交換装置１００の上方、下方、左方、右方、前方、後方のうちいずれか二方向の側に設置し、その二個の外部の流体圧送バネ装置２０２を別々に熱交換装置１００に設置する熱交換システムの構造模式図を示す。
【００２８】
図６に示すように、その主な構成は以下の通りである。
直接駆動式流体作動装置２００を熱交換装置１００の上方、下方、左方、右方、前方、後方のうちいずれか二方向の側に設置し、その二個の外部の流体圧送バネ装置２０２を別々に熱交換装置１００に設置する熱交換装置１００と両側に設置する駆動式流体作動装置２００との間に設置し、それぞれ連結している直接駆動式流体作動装置２００の回転軸２０１によって駆動され、二個の外部の流体圧送バネ装置２０２によって駆動される流体の流れる方向は同じ方向または違う方向にすることも可能である。
【００２９】
（第６実施形態）
図７に非接触伝達型流体作動装置２０００を熱交換装置１００の上方、下方、左方、右方、前方、後方のうちいずれか二方向の側に設置し、その二個の外部の流体圧送バネ装置２０２を別々に熱交換装置１００に設置する熱交換システムの構造模式図を示す。
【００３０】
図７に示すように、その主な構成は以下の通りである。
非接触伝達型流体作動装置２０００を熱交換装置１００の上方、下方、左方、右方、前方、後方のうちいずれか二方向の側に設置し、その二個の外部の流体圧送バネ装置２０２を別々に熱交換装置１００と両側の非接触伝達型流体作動装置２０００との間に設置し、それぞれ連結している非接触伝達型流体作動装置２０００の回転軸２０１によって駆動され、二個の外部の流体圧送バネ装置２０２によって駆動される流体の流れる方向は同じ方向または違う方向にすることも可能である。
【００３１】
（第７実施形態）
図８に直接駆動式流体作動装置２００を熱交換装置１００の上方、下方、左方、右方、前方、後方のうちいずれか二方向の側に設置し、その二個の外部の流体圧送バネ装置２０２を別々に熱交換装置１００の両側にある直接駆動式流体作動装置２００の外側に設置する熱交換システムの構造模式図を示す。
【００３２】
図８に示すように、その主な構成は以下の通りである。
直接駆動式流体作動装置２００を熱交換装置１００の上方、下方、左方、右方、前方、後方のうちいずれか二方向の側に設置し、その二個の外部の流体圧送バネ装置２０２を別々に熱交換装置１００に設置する熱交換装置１００と両側に設置する駆動式流体作動装置２００の外側に設置し、それぞれ連結している直接駆動式流体作動装置２００の回転軸２０１によって駆動され、二個の外部の流体圧送バネ装置２０２によって駆動される流体の流れる方向は同じ方向または違う方向にすることも可能である。
【００３３】
（第８実施形態）
図９に非接触伝達型流体作動装置２０００を熱交換装置１００の上方、下方、左方、右方、前方、後方のうちいずれか二方向の側に設置し、その二個の外部の流体圧送バネ装置２０２を別々に熱交換装置１００両側にある非接触伝達型流体作動装置２０００の外側に設置する熱交換システムの構造模式図を示す。
【００３４】
図９に示すように、その主な構成は以下の通りである。
非接触伝達型流体作動装置２０００を熱交換装置１００の上方、下方、左方、右方、前方、後方のうちいずれか二方向の側に設置し、その二個の外部の流体圧送バネ装置２０２を別々に熱交換装置１００と両側の非接触伝達型流体作動装置２０００の外側に設置し、それぞれ連結している非接触伝達型流体作動装置２０００の回転軸２０１によって駆動され、二個の外部の流体圧送バネ装置２０２によって駆動される流体の流れる方向は同じ方向または違う方向にすることも可能である。
【００３５】
（第９実施形態）
図１０に直接駆動式流体作動装置２００を熱交換装置１００の上方、下方、左方、右方、前方、後方のうちいずれか二方向の側に設置し、その二個の外部の流体圧送バネ装置２０２の中の一つを熱交換装置１００と結合する直接駆動式流体作動装置２００との間に設置し、もう一つの外部の流体圧送バネ装置２０２を熱交換装置１００と結合する別の直接駆動式流体作動装置２００の外側に設置する熱交換システムの構造模式図を示す。
【００３６】
図１０に示すように、その主な構成は以下の通りである。
直接駆動式流体作動装置２００を熱交換装置１００の上方、下方、左方、右方、前方、後方のうちいずれか二方向の側に設置し、その二個の外部の流体圧送バネ装置２０２の中の一つを熱交換装置１００と結合している直接駆動式流体作動装置２００との間に設置し、別の外部の流体圧送バネ装置２０２を熱交換装置１００と結合している別の直接駆動式流体作動装置２００の外側に設置し、それぞれ連結している直接駆動式流体作動装置２００の回転軸２０１によって駆動され、二個の外部の流体圧送バネ装置２０２によって駆動される流体の流れる方向は同じ方向または違う方向にすることも可能である。
【００３７】
（第１０実施形態）
図１１に非接触伝達型流体作動装置２０００を熱交換装置１００の上方、下方、左方、右方、前方、後方のうちいずれか二方向の側に設置し、その二個の外部の流体圧送バネ装置２０２の中の一つを熱交換装置１００と結合する非接触伝達型流体作動装置２０００との間に設置し、別の外部の流体圧送バネ装置２０２を熱交換装置１００と結合する別の非接触伝達型流体作動装置２０００の外側に設置する熱交換システムの構造模式図を示す。
【００３８】
図１１に示すように、その主な構成は以下の通りである。
非接触伝達型流体作動装置２０００を熱交換装置１００の上方、下方、左方、右方、前方、後方のうちいずれか二方向の側に設置し、その二個の外部の流体圧送バネ装置２０２の中の一つを熱交換装置１００と結合している非接触伝達型流体作動装置２０００との間に設置し、別の外部の流体圧送バネ装置２０２を熱交換装置１００と結合している別の非接触伝達型流体作動装置２０００の外側に設置し、それぞれ連結している非接触伝達型流体作動装置２０００の回転軸２０１によって駆動され、二個の外部の流体圧送バネ装置２０２によって駆動される流体の流れる方向は同じ方向または違う方向にすることも可能である。
【００３９】
第１０実施形態の熱交換システムを更に一歩進んで、直接駆動式流体作動装置２００または非接触伝達型流体作動装置２０００を設置し熱交換装置１００に内蔵し、回転軸２０１によって外部の流体圧送バネ装置２０２を駆動することによって、全体の厚さを薄くすることができる。
【００４０】
（第１１実施形態）
図１２に直接駆動式流体作動装置２００を熱交換装置１００の中に設置し、その中の片側の回転軸２０１によって外部の流体圧送バネ装置２０２を駆動する熱交換システムの構造模式図を示す。
【００４１】
図１２に示すように、その主な構成は以下の通りである。
直接駆動式流体作動装置２００を熱交換装置１００の中に設置し、直接駆動式流体作動装置２００の片側の回転軸２０１によって、外部の流体圧送バネ装置２０２を駆動する。
【００４２】
（第１２実施形態）
図１３に非接触伝達型流体作動装置２０００を熱交換装置１００の中に設置し、その中の片側の回転軸２０１によって外部の流体圧送バネ装置２０２を駆動する熱交換システムの構造模式図を示す。
【００４３】
図１３に示すように、その主な構成は以下の通りである。
非接触伝達型流体作動装置２０００を熱交換装置１００の中に設置し、非接触伝達型流体作動装置２０００の中の出力側２１０の片側にある回転軸２０１によって外部の流体圧送バネ装置２０２を駆動する。
【００４４】
（第１３実施形態）
図１４に直接駆動式流体作動装置２００を熱交換装置１００の中に設置し、その回転軸２０１の両端によって、別々に連結している外部の流体圧送バネ装置２０２を駆動する熱交換システムの構造模式図を示す。
【００４５】
図１４に示すように、その主な構成は以下の通りである。
直接駆動式流体作動装置２００を熱交換装置１００の中の直接駆動式流体作動装置２００にある回転軸２０１の両端に設置し、別々に外部の流体圧送バネ装置２０２と連結することによって、外部流体に対して、同じ方向または違う方向へポンピングする。
【００４６】
（第１４実施形態）
図１５に両側出力型非接触伝達型流体作動装置３０００を熱交換装置１００の中に設置し、両側出力型非接触伝達型流体作動装置３０００の両側にある非接触伝達型流体作動装置の出力側２１０の独立回転軸２０１によって、別々に連結している外部の流体圧送バネ装置２０２を駆動する熱交換システムの構造模式図を示す。
【００４７】
図１５に示すように、その主な構成は以下の通りである。
両側出力型非接触伝達型流体作動装置３０００を熱交換装置１００の中に設置し、両側出力型非接触伝達型流体作動装置３０００の両側にある非接触伝達型流体作動装置の出力側２１０の独立回転軸２０１によって、別々に外部の流体圧送バネ装置２０２を駆動し、外部流体に対して、同じ方向または違う方向へポンピングする。
【００４８】
両側出力型非接触伝達型流体作動装置３０００は、流体動力バネ装置２２１、その両辺に結合している駆動の磁気カップリング体の受動的回転部２１２、及び回転軸２０６とボディシェル２０９によって、両側非接触伝達型流体作動装置の能動側２２２を構成し、また両側非接触伝達型流体作動装置の能動側２２２の両側に二個の磁気カップリング体の受動的回転部２１２を設置することによって、非接触カップリング伝達の二個の非接触伝達型流体作動装置の出力側２１０の内部の磁気カップリング体の受動的回転部２１１とし、二個の磁気カップリング体の受動的回転部２１１に駆動される回転軸２０１によって、別々に外部の流体圧送バネ装置２０２を駆動し、外部流体に対して同じ方向または違う方向へポンピングする。
【００４９】
両側出力型非接触伝達型流体作動装置３０００は、下記の一種または一種以上の方式によって構成されることを含む。
磁気カップリング体の受動的回転部２１２と磁気カップリング体の受動的回転部２１１との間に、永久磁極を通して、永久磁極の吸引力に対して、カップリング伝達を行う。
磁気カップリング体の受動的回転部２１２と磁気カップリング体の受動的回転部２１１との間に、永久磁極を通して、カップラ導磁体の吸引力に対して、カップリング伝達を行う。
磁気カップリング体の受動的回転部２１２と磁気カップリング体の受動的回転部２１１との間に、永久磁極を通して、導電体に対して、渦電流効果を発生させ、カップリング伝達を行う。
磁気カップリング体の受動的回転部２１２と磁気カップリング体の受動的回転部２１１との間に、永久磁極を通して、かご形電磁構造体に対して、電磁効果を発生させ、カップリング伝達を行う。
磁気カップリング体の受動的回転部２１２と磁気カップリング体の受動的回転部２１１との間に、永久磁極を通して、磁気抵抗構造体に対して、磁気カップリング効果を発生させ、カップリング伝達を行う。
流体圧送バネ装置２０２は、熱交換装置１００の中の両側に設置し、それぞれ非接触伝達型流体作動装置の出力側２１０の回転軸２０１に駆動されることによって、外部流体に対して、同じ方向または違う方向へポンピングする。
ボディシェル２０９は、両側出力型非接触伝達型流体作動装置３０００のボディシェルを構成し、非導磁性と非導電性材料によって構成され、または導電性または導磁性の両者またはその中の一種の特性材料によって構成され、その導磁性または導電性は、ボディシェル２０９の両側に設置する磁気カップリング体の受動的回転部２１２と磁気カップリング体の受動的回転部２１１との間に必要な回転エネルギーの伝送を邪魔しない。
【００５０】
（第１５実施形態）
第１４実施形態の熱交換システムを更に一歩進んで、一個の熱交換装置１００に直接駆動式流体作動装置２００、非接触伝達型流体作動装置２０００、または両側出力型非接触伝達型流体作動装置３０００のうち、二個または二個以上の一種または一種以上の流体作動装置を設置することを含む。
【００５１】
説明は以下の通りである。
図１６に二個または二個以上の直接駆動式流体作動装置２００を熱交換装置１００の中に設置し、それぞれ直接駆動式流体作動装置２００の同側にある回転軸２０１によって、それぞれ外部の流体圧送バネ装置２０２を駆動する熱交換システムの構造模式図を示す。
【００５２】
図１６に示すように、その主な構成は以下の通りである。
二個または二個以上の直接駆動式流体作動装置２００を熱交換装置１００の中に設置し、それぞれ直接駆動式流体作動装置２００の同側にある回転軸２０１によって、それぞれ外部の流体圧送バネ装置２０２を駆動する。
【００５３】
（第１６実施形態）
図１７に二個または二個以上の非接触伝達型流体作動装置２０００を熱交換装置１００の中に設置し、それぞれ非接触伝達型流体作動装置２０００の非接触伝達型流体作動装置の出力側２１０の同側にある回転軸２０１によって、それぞれ外部の流体圧送バネ装置２０２を駆動する熱交換システムの構造模式図を示す。
【００５４】
図１７に示すように、その主な構成は以下の通りである。
二個または二個以上の非接触伝達型流体作動装置２０００を熱交換装置１００の中に設置し、それぞれ非接触伝達型流体作動装置２０００中の非接触伝達型流体作動装置の出力側２１０の同側にある回転軸２０１によって、それぞれ外部の流体圧送バネ装置２０２を駆動する。
【００５５】
（第１７実施形態）
図１８に二個または二個以上の直接駆動式流体作動装置２００を熱交換装置１００の中に設置し、それぞれ直接駆動式流体作動装置２００の回転軸２０１の両端によって、別々に連結している外部の流体圧送バネ装置２０２を駆動する熱交換システムの構造模式図を示す。
【００５６】
図１８に示すように、その主な構成は以下の通りである。
二個または二個以上の直接駆動式流体作動装置２００を熱交換装置１００の中に設置し、それぞれ直接駆動式流体作動装置２００の回転軸２０１の両端と別々に連結している外部の流体圧送バネ装置２０２によって、外部流体に対して同じ方向または違う方向へポンピングする。
【００５７】
（第１８実施形態）
図１９に二個または二個以上の両側出力型非接触伝達型流体作動装置３０００を熱交換装置１００の中に設置し、それぞれ両側出力型非接触伝達型流体作動装置３０００の両側にある非接触伝達型流体作動装置の出力側２１０にある独立回転軸２０１によって、別々に連結している外部の流体圧送バネ装置２０２を駆動する熱交換システムの構造模式図を示す。
【００５８】
図１９に示すように、その主な構成は以下の通りである。
二個または二個以上の両側出力型非接触伝達型流体作動装置３０００を熱交換装置１００の中に設置し、それぞれの両側出力型非接触伝達型流体作動装置３０００の両側にある非接触伝達型流体作動装置の出力側２１０の独立回転軸２０１によって、別々に外部の流体圧送バネ装置２０２を駆動し、外部流体に対して、同じ方向または違う方向へポンピングする。
【００５９】
両側出力型非接触伝達型流体作動装置３０００は、流体動力バネ装置２２１、その両辺に結合している駆動の磁気カップリング体の受動的回転部２１２、及び回転軸２０６とボディシェル２０９によって、共同して両側非接触伝達型流体作動装置の能動側２２２を構成し、また両側非接触伝達型流体作動装置の能動側２２２の両側に別々に非接触伝達型流体作動装置の出力側２１０を設置し、非接触伝達型流体作動装置の出力側２１０の内部に磁気カップリング体の受動的回転部２１１を設置することによって、非接触伝達型流体作動装置の能動側２２２の両側にある二個の磁気カップリング体の受動的回転部２１２と非接触カップリング伝達を行い、二個の磁気カップリング体の受動的回転部２１１に駆動される回転軸２０１によって、別々に外部の流体圧送バネ装置２０２を駆動し、外部流体に対して同じ方向または違う方向へポンピングする。
【００６０】
両側出力型非接触伝達型流体作動装置３０００は、下記の一種または一種以上の方式によって構成されることを含む。
磁気カップリング体の受動的回転部２１２と磁気カップリング体の受動的回転部２１１との間に、永久磁極を通して、永久磁極の吸引力に対して、カップリング伝達を行う。
磁気カップリング体の受動的回転部２１２と磁気カップリング体の受動的回転部２１１との間に、永久磁極を通して、カップラ導磁体の吸引力に対して、カップリング伝達を行う。
磁気カップリング体の受動的回転部２１２と磁気カップリング体の受動的回転部２１１との間に、永久磁極を通して、導電体に対して、渦電流効果を発生させ、カップリング伝達を行う。
磁気カップリング体の受動的回転部２１２と磁気カップリング体の受動的回転部２１１との間に、永久磁極を通して、かご形電磁構造体に対して、電磁効果を発生させ、カップリング伝達を行う。
磁気カップリング体の受動的回転部２１２と磁気カップリング体の受動的回転部２１１との間に、永久磁極を通して、磁気抵抗構造体に対して、磁気カップリング効果を発生させ、カップリング伝達を行う。
外部の流体圧送バネ装置２０２は、熱交換装置１００中の両側に設置し、それぞれ非接触伝達型流体作動装置の出力側２１０の回転軸２０１に駆動されることによって、外部流体に対して同じ方向または違う方向へポンピングする。
ボディシェル２０９は、両側出力型非接触伝達型流体作動装置３０００のボディシェルを構成し、非導磁性と非導電性材料によって構成され、または導電性または導磁性の両者またはその中の一種の特性材料によって構成され、その導磁性または導電性は、ボディシェル２０９の両側に設置する磁気カップリング体の受動的回転部２１２と磁気カップリング体の受動的回転部２１１との間に必要な回転エネルギーの伝送を邪魔しない。
【００６１】
第１８実施形態の熱交換システムを実際に組み立てるとき、更に一歩進んで以下の構成方式によって構成されることを含む。
【００６２】
第１８実施形態の熱交換システムの流体圧送バネ装置２０２の外側に、更に一歩進んでバネ防護装置２０３、例えば網状装置またはマスク状装置を設置し、安全を守ることができる。
【符号の説明】
【００６３】
２０          ：流体作動装置アセンブリ、
１００        ：熱交換装置、
１０１、１０４：流体を入出力する管路、
１０２、１０３：流体作動装置の入出力管路、
２００        ：直接駆動式流体作動装置、
２０１、２０６：回転軸、
２０２        ：外部の流体圧送バネ装置、
２０３        ：バネ防護装置、
２０４        ：流体動力バネ装置、
２０７        ：ボディシェル、
２０８        ：ボディシェル、
２０９        ：ボディシェル、
２１０        ：非接触伝達型流体作動装置の出力側、
２１１        ：磁気カップリング体の受動的回転部、
２１２        ：磁気カップリング体の受動的回転部、
２２０        ：非接触伝達型流体作動装置の能動側、
２２１        ：流体動力バネ装置、
２２２        ：両側非接触伝達型流体作動装置の能動側、
２０００      ：非接触伝達型流体作動装置、
３０００      ：両側出力型非接触伝達型流体作動装置。
【図１】
2012112643.tif 000003
【図２】
2012112643.tif 000004
【図３】
2012112643.tif 000005
【図４】
2012112643.tif 000006
【図５】
2012112643.tif 000007
【図６】
2012112643.tif 000008
【図７】
2012112643.tif 000009
【図８】
2012112643.tif 000010
【図９】
2012112643.tif 000011
【図１０】
2012112643.tif 000012
【図１１】
2012112643.tif 000013
【図１２】
2012112643.tif 000014
【図１３】
2012112643.tif 000015
【図１４】
2012112643.tif 000016
【図１５】
2012112643.tif 000017
【図１６】
2012112643.tif 000018
【図１７】
2012112643.tif 000019
【図１８】
2012112643.tif 000020
【図１９】
2012112643.tif 000021
【外国語明細書】
2012112643.tif 000022
2012112643.tif 000023
2012112643.tif 000024
2012112643.tif 000025
2012112643.tif 000026
2012112643.tif 000027
2012112643.tif 000028
2012112643.tif 000029
2012112643.tif 000030
2012112643.tif 000031
2012112643.tif 000032
2012112643.tif 000033
2012112643.tif 000034
2012112643.tif 000035
2012112643.tif 000036
2012112643.tif 000037
2012112643.tif 000038
2012112643.tif 000039
2012112643.tif 000040
2012112643.tif 000041
2012112643.tif 000042
2012112643.tif 000043
2012112643.tif 000044
2012112643.tif 000045
2012112643.tif 000046
2012112643.tif 000047
2012112643.tif 000048
2012112643.tif 000049
2012112643.tif 000050
2012112643.tif 000051
2012112643.tif 000052
2012112643.tif 000053
2012112643.tif 000054
2012112643.tif 000055
2012112643.tif 000056
2012112643.tif 000057
2012112643.tif 000058
2012112643.tif 000059
2012112643.tif 000060
2012112643.tif 000061
2012112643.tif 000062
2012112643.tif 000063
2012112643.tif 000064
2012112643.tif 000065
2012112643.tif 000066
2012112643.tif 000067
2012112643.tif 000068
2012112643.tif 000069
2012112643.tif 000070
2012112643.tif 000071
2012112643.tif 000072
2012112643.tif 000073
2012112643.tif 000074
2012112643.tif 000075